(57)【要約】      （修正有）【課題】ピックアップなどが組み付けられるベースシャーシに過大な衝撃荷重が作用した場合でも、ダンパがベースシャーシから外れたりベースシャーシが変形したりすることを防止することのできるディスク駆動装置の提供。【解決手段】ターンテーブル５とピックアップ４とをベースシャーシ２に組み付け、そのベースシャーシ２を支持ベースに取り付けられる複数のダンパ８で弾性支持したディスク駆動装置である。ダンパ８は、ベースシャーシ２を挟む一対の大径部の間に小径部を有してベースシャーシ２に貫通される。ベースシャーシ２には各ダンパ８を個別に貫通せしめる複数の貫通孔２Ｂが穿設される。その各貫通孔２Ｂは、ベースシャーシ２の周縁に開放されない個々に独立した孔であって、ダンパ８の小径部が嵌まり込む主孔部と、主孔部に連続してその相対向する周縁部を切り欠いた一対の切欠孔部とを有する。【選択図】図３
2008251092.tif 000002
【特許請求の範囲】
【請求項１】
ディスクを支持してモータにより回転駆動されるターンテーブルと、このターンテーブルで支持されたディスクの盤面に沿って移動可能とされるピックアップとを開口部を有するベースシャーシに対してその開口部から望めるように組み付け、そのベースシャーシを支持ベースに取り付けられる複数のダンパで弾性支持したディスク駆動装置において、
前記ダンパは、前記ベースシャーシを挟む一対の大径部の間に該大径部より直径の小さい小径部を有して前記ベースシャーシに貫通され、
前記ベースシャーシには前記各ダンパを個別に貫通せしめる複数の貫通孔が穿設されると共に、
その各貫通孔は、前記ベースシャーシの周縁に開放されない個々に独立した孔であって、前記ダンパの前記小径部が嵌まり込む主孔部と、該主孔部に連続してその相対向する周縁部を切り欠いた一対の切欠孔部と、を有することを特徴とするディスク駆動装置。
【請求項２】
前記貫通孔は、それぞれ前記ベースシャーシの開口部を囲む多角形の角部に位置し、前記多角形の任意の一辺上に位置する２つの貫通孔では一対の切欠孔部を通る線分の方向が異なっていることを特徴とする請求項１記載のディスク駆動装置。
【発明の詳細な説明】
【技術分野】
【０００１】
本発明は、光ディスクや光磁気ディスクといったディスク状情報記録媒体（ディスク）に楽曲情報などを記録したり、その記録情報を再生したりするのに用いられるディスク駆動装置に係わり、特にピックアップなどに伝播する振動を減衰させるのに有効な制振構造をもつディスク駆動装置に関する。
【背景技術】
【０００２】
ＣＤプレーヤ、ＤＶＤレコーダ、あるいはコンピュータなどに用いられるディスク駆動装置は、ディスクの中心部を支持するターンテーブル、そのターンテーブルを介してディスクを回転させるスピンドルモータ、及びディスクの記録情報を読み出したりディスクに情報を書き込んだりするピックアップなどを具備して構成される。
【０００３】
そして、係るディスク駆動装置によれば、ターンテーブルで支持されたディスクを回転させながら、ピックアップをディスクの盤面に沿ってその半径方向に移動させることにより、ディスクに情報を記録したり、その記録情報を読み出したりすることができる。
【０００４】
ここに、装置内におけるピックアップなどの駆動系に外部から振動が伝播すると、情報の記録再生に支障を来たすので、ディスク駆動装置には外部振動を減衰させる制振構造が必要不可欠である。
【０００５】
従来、ディスク駆動装置に用いられる制振構造として、ピックアップなどを組み付けたベースシャーシと装置内の支持ベースとの間に、ゴム質のダンパを介在させる方式が一般に広く採用されている（例えば、特許文献１）。
【０００６】
その構造を図８及び図９に示して説明すれば、ＢＳはベースシャーシで、このベースシャーシＢＳにはターンテーブルＴやピックアップＰが組み付けられる。特に、ベースシャーシＢＳはピックアップＰの移動範囲に対応して中央部分が開口部Ｗとして切り抜かれ、その周縁側には図８に示されるような割り孔ｈが形成される。割り孔ｈはベースシャーシＢＳの外周縁に開放される開放型で、その内部に開放部分ｈ１を通じて図９のようにダンパＤが嵌め込まれ、そのダンパＤによりベースシャーシＢＳが弾性支持されるようになっている。
【０００７】
【特許文献１】特許第３５８０３６９号公報
【発明の開示】
【発明が解決しようとする課題】
【０００８】
しかしながら、ベースシャースの外周縁に開放される割り孔では、ダンパの嵌め込みを容易に行えるという利点を有するものの、ベースシャーシに対して落下などによる過大な衝撃荷重が作用し、その作用方向が割り孔の開放部分に一致した場合、その開放部分を通じてダンパが割り孔から抜け出してしまう虞がある。
【０００９】
又、ベースシャーシに上記のような割り孔を形成すると、ベースシャーシの剛性、強度が低下し、これが衝撃加重などを受けた場合に変形してしまう虞がある。尚、ベースシャーシの強度を上げるため、開口部Ｗを小さくすればピックアップの移動範囲に対応する開口面積が不足し、開口部Ｗに対してベースシャーシの外形を大きくすれば装置の大型化を招くという問題がある。
【００１０】
本発明は以上のような事情に鑑みて成されたものであり、その目的はピックアップなどが組み付けられるベースシャーシに過大な衝撃荷重が作用した場合でも、ダンパがベースシャーシから外れたりベースシャーシが変形したりすることを防止することのできるディスク駆動装置を提供することにある。
【課題を解決するための手段】
【００１１】
本発明は上記目的を達成するため、
ディスクを支持してモータ３により回転駆動されるターンテーブル５と、このターンテーブル５で支持されたディスクの盤面に沿って移動可能とされるピックアップ４とを開口部２Ａを有するベースシャーシ２に対してその開口部２Ａから望めるように組み付け、そのベースシャーシ２を支持ベース９に取り付けられる複数のダンパ８で弾性支持したディスク駆動装置において、
前記ダンパ８は、前記ベースシャーシ２を挟む一対の大径部８Ｂ，８Ｃの間に該大径部より直径の小さい小径部８Ｄを有して前記ベースシャーシ２に貫通され、
前記ベースシャーシ２には前記各ダンパ８を個別に貫通せしめる複数の貫通孔２Ｂが穿設されると共に、
その各貫通孔２Ｂは、前記ベースシャーシ２の周縁に開放されない個々に独立した孔であって、前記ダンパ８の前記小径部８Ｄが嵌まり込む主孔部２１と、該主孔部２１に連続してその相対向する周縁部を切り欠いた一対の切欠孔部２２，２２と、を有することを特徴とする。
【００１２】
加えて、前記貫通孔２Ｂは、それぞれ前記ベースシャーシ２の開口部２Ａを囲む多角形の角部に位置し、前記多角形の任意の一辺上に位置する２つの貫通孔２Ｂでは一対の切欠孔部２２，２２を通る線分の方向が異なっていることを特徴とする。
【発明の効果】
【００１３】
本発明によれば、ピックアップなどが組み付けられるベースシャーシにダンパを貫通せしめる貫通孔が形成され、その貫通孔がベースシャーシの周縁に開放されない独立孔とされていることから、ベースシャーシに対してその面に平行な方向から過大な衝撃荷重が作用しても貫通孔からダンパが外れてしまうことがなく、しかも貫通孔が独立孔であるためにベースシャーシに大きな剛性、強度を持たせて該ベースシャーシが過大な衝撃荷重を受けて変形してしまうことを防止することができる。
【００１４】
又、ダンパは一対の大径部の間に小径部を有する形態であるから、ベースシャーシの面直角方向に過大な衝撃荷重が作用しても貫通孔からダンパが外れず、しかも貫通孔はダンパの小径部が嵌まり込む主孔部に連続してその相対向する周縁部を切り欠いた一対の切欠孔部を有していることから、主孔部より大きな直径を有するダンパの大径部でも、これを押し潰して主孔部に貫通せしめることができる。
【００１５】
更に、貫通孔がベースシャーシの開口部を囲む多角形の角部に位置し、係る多角形の任意の一辺上に位置する２つの貫通孔では一対の切欠孔部を通る線分の方向が異なっていることから、衝撃荷重の作用方向が一つの貫通孔における一対の切欠孔部の対向方向に合致した場合でも、その貫通孔とは一対の切欠孔部を通る線分の方向が異なる貫通孔がその主孔部で衝撃加重を受けて衝撃力を緩和するようになるので、ベースシャーシに如何なる方向から衝撃加重が作用しても貫通孔の切欠孔部に対してダンパの小径部が食い込んでしまうことがなく、このため各ダンパにより所定の弾性をもってベースシャーシを適正に支持することができる。
【発明を実施するための最良の形態】
【００１６】
以下、図面に基づき本発明を詳しく説明する。図１は本発明に係るディスク駆動装置の主要な構造体を成すドライブユニットを示す。
【００１７】
このドライブユニット１は俗にトラバースメカと呼ばれるもので、ベースシャーシ２にスピンドルモータ３やピックアップ４などを組み付けて構成される。
【００１８】
ベースシャーシ２は、プレス加工などにより製作される定形（本例では矩形、詳しくは長方形状）の板材であり、その中央部分には所定の領域を切り抜いた開口部２Ａが形成され、その開口部２Ａの内側にスピンドルモータ３とピックアップ４が配置される。
【００１９】
スピンドルモータ３は、ＣＤやＤＶＤといったディスクを回転させるための制御モータであり、そのロータ軸にはターンテーブル５が固設され、そのターンテーブル５が図示せぬディスクの中心部を支持した状態でディスクの回転が行われるようになっている。
【００２０】
又、ピックアップ４は、ターンテーブル５により支持されたディスクの盤面に沿ってその半径方向に移動しながら、ディスクの記録情報を読み出したり情報の書き込みを行ったりするための電子部品ユニットであり、これは金属板などから成る走行台４Ａ（キャリッジ）に、対物レンズ４Ｂや、その対物レンズ４Ｂを通してディスクの盤面に照射すべき光を発生する図示せぬレーザダイオードなどの発光素子、及びディスクからの反射光を受け取る受光素子などを装置して構成される。
【００２１】
特に、ベースシャーシ２の開口部２Ａの両側には、ピックアップ４の移動案内をする左右一対のガイド軸６が取り付けられ、その両ガイド軸６によりピックアップ４がディスクの半径方向に対して移動可能に支持されている。
【００２２】
尚、図１において、７はピックアップ４をガイド軸６に沿ってディスクの半径方向に移動させるための駆動力を発生するスレッドモータであり、このスレッドモータ７は一方のガイド軸６に近接してベースシャーシ２に固設される。
【００２３】
そして、本発明に係るディスク駆動装置は、例えばディスク記録再生装置などの筐体に内蔵され、その筐体内にディスクが挿入されたとき、該ディスクの中心部がターンテーブル５と図示せぬクランプ盤とによりクランプされ、その後、スピンドルモータ３の起動によりディスクが回転され、しかしてピックアップ４がディスクの半径方向に移動しながら情報の読み出しや書き込みを行うようになっている。
【００２４】
又、図１において、８はベースシャーシ２の周縁側４箇所（４隅）に取り付けたゴム質のダンパであり、それらダンパ８によるベースシャーシ２の各支持点で囲まれる領域内にターンテーブル５およびピックアップ４が位置するようになっている。
【００２５】
図２はベースシャーシ２を示した斜視図であり、図３にはベースシャーシ２にピックアップ４などを組み付けて成るドライブユニット１の平面図を示す。
【００２６】
図２及び図３から明らかなように、ベースシャーシ２には、その周縁側４カ所に貫通孔２Ｂ（図３では便宜上、２Ｂ１，２Ｂ２，２Ｂ３，２Ｂ４とする）が穿設され、その各々にダンパ８が貫通されるようになっている。それら貫通孔２Ｂは、ベースシャーシ２の周縁（外周縁および内周縁）に開放されない個々に独立した閉鎖型の独立孔であり、その各々は円形状の主孔部２１と、該主孔部２１に連続してその相対向する周縁部を切り欠いた一対の凹字形切欠孔部２２，２２と、から成る「Φ」字形の形態とされる。
【００２７】
特に、それら貫通孔２Ｂは、ベースシャーシ２の開口部２Ａを囲む仮想の多角形ＫＴ（本例において長方形）の角部に位置し、その多角形ＫＴの任意の一辺上に位置する２つの貫通孔２Ｂ（図３における２Ｂ１，２Ｂ２／２Ｂ２，２Ｂ３／２Ｂ３，２Ｂ４／２Ｂ４，２Ｂ１）では一対の切欠孔部２２，２２を通る線分ａ１，ａ２／ａ２，ａ３／ａ３，ａ４／ａ４，ａ１）の方向が異なり、対角上に位置する貫通孔（２Ｂ１，２Ｂ３／２Ｂ２，２Ｂ４）では一対の切欠孔部２２，２２を通る線分（ａ１，ａ３およびａ２，ａ４）が平行するようになっている。
【００２８】
尚、係る多角形ＫＴは開口部２Ａの大部分を囲む状態であればよく、開口部２Ａの一部が多角形ＫＴから若干はみ出した状態となっていてもよい。
【００２９】
又、本例おいて、上記線分ａ１〜ａ４はピックアップ４の移動方向（図３におけるガイド軸６の軸方向）に対して４５度傾斜し、それら線分ａ１〜ａ４を延長してできる図形がピックアップ４やターンテーブル５を取り囲む多角形ＴＫＫ（本例において長方形）となるようにされている。
【００３０】
そして、以上のような貫通孔２Ｂによれば、ベースシャーシ２に対して例えば図３示される線分ａ２，ａ４と平行な平行に衝撃荷重が作用した場合、その衝撃荷重を貫通孔２Ｂ１，２Ｂ３の主孔部２１が受けて緩和するため、貫通孔２Ｂ２，２Ｂ４の切欠孔部２２にダンパ８が食い込んでしまうことがなく、このためダンパ８が貫通孔２Ｂ２，２Ｂ４の切欠孔部２２で径方向に縮小されて切断してしまったり、ダンパ８によるベースシャーシ２の支持形態が不適切になってしまったりすることを防止できる。
【００３１】
次に、図４はダンパ８を示した斜視図であり、図５には同ダンパ８の縦断面を示す。これらの図で明らかなように、係るダンパ８は偏平で薄肉の円筒形であり、その外周には高さ方向中央部にて環状溝８Ａが形成される。そして、その環状溝８Ａを介して円盤状の大径部８Ｂ，８Ｃが連なる構成され、環状溝８Ａの部分は大径部８Ｂ，８Ｃより直径の小さな小径部８Ｄとされている。又、ダンパ８の中心部にはこれを貫く円形の取付孔８Ｅが形成されている。尚、係るダンパ８は、振動減衰効果の高い軟質なゴム材から形成されるが、大径部８Ｂ，８Ｃの内部に形成される空洞８Ｆは空気バネとしても機能する。
【００３２】
図６は、ダンパ８にてベースシャーシ２を支持した部分拡大図である。図６において、９は図示せぬ回路基板などを固定するための下部構造を成す支持ベースであり、この支持ベース９にはネジ孔を穿設した突起９Ａが形成される。
【００３３】
ここで、ダンパ８は、一方の大径部８Ｃを支持ベース９上に着座せしめて取付孔８Ｅを突起９Ａに嵌合させると共に、他方の大径部８Ｂ側から突起９Ａのネジ孔に固定ネジ１０をねじ込むことにより固定される。
【００３４】
そして、係るダンパ８は、貫通孔２Ｂを通してベースシャーシ２に貫通されて一対の大径部８Ｂ，８Ｃでベースシャーシ２を表裏両側から挟み込み、その両大径部８Ｂ，８Ｃの間に位置する小径部８Ｄが貫通孔２Ｂの主孔部２１に嵌まり込むようになっている。
【００３５】
尚、図７のように、主孔部２１と切欠孔部２２，２２とを有して成る貫通孔２Ｂによれば、その主孔部２１よりも直径の大きいダンパ８の大径部８Ｂ（又は８Ｃ）を押し潰すことにより、その一部を切欠孔部２２，２２内に入り込ませながら当該大径部８Ｂを貫通孔２Ｂに通し、これにより主孔部２１に該主孔部２１の内径と略同じ外径をもつ小径部８Ｄを嵌め込むことができる。
【００３６】
以上、本発明の構成例を説明したが、ダンパ８を貫通せしめる貫通孔２Ｂは４つに限らず、最低限３つあればよい。又、各貫通孔２Ｂにおいて、一対の切欠孔部２２，２２がそれぞれベースシャーシ２の中央部から放射方向に沿って形成されていても良い。又、貫通孔２Ｂは一対の切欠孔部２２，２２がベースシャーシ２の一端縁に対して平行するものと直交するものとが混在する態様でもよい。
【図面の簡単な説明】
【００３７】
【図１】本発明に係るディスク駆動装置を構成するドライブユニットの斜視図
【図２】ドライブユニットを構成するベースシャーシの斜視図
【図３】ドライブユニットの平面図
【図４】本発明に係るダンパの斜視図
【図５】同ダンパの縦断面図
【図６】同ダンパによりベースシャーシを支持した状態を示す部分拡大断面図
【図７】貫通孔にダンパを貫通させるときの状態を示す説明図
【図８】従来のベースシャーシを示す平面図
【図９】図８のベースシャーシがダンパで支持された状態を示す平面図
【符号の説明】
【００３８】
１  ドライブユニット
２  ベースシャーシ
２Ａ  開口部
２Ｂ  貫通孔
２１  主孔部
２２  切欠孔部
３  モータ
４  ピックアップ
５  ターンテーブル
６  ガイド軸
８  ダンパ
８Ｂ，８Ｃ  大径部
８Ｄ  小径部
９  支持ベース
【図１】
2008251092.tif 000003
【図２】
2008251092.tif 000004
【図３】
2008251092.tif 000005
【図４】
2008251092.tif 000006
【図５】
2008251092.tif 000007
【図６】
2008251092.tif 000008
【図７】
2008251092.tif 000009
【図８】
2008251092.tif 000010
【図９】
2008251092.tif 000011